(57)【要約】【課題】軽量な安全ヘルメットを開発することである。【解決手段】あごセクションは、ヘルメット・シェル（１）の側方領域（４）に接続されているあご部分（８）を有し、このあご部分は、スリップ開口部（１９）を拡大すべく、実質的に水平方向の回転軸を有する回転継手を中心として旋回可能であり、閉じた状態では、ヘルメット・シェルの側方領域（４）から、バイザー開口部（３）の半分の幅を越えて延びており、あご部分の自由端は、ロック機構（１３）によって、ヘルメットの、当接縁部（１８）によって自由端に隣接する部分（５）に、接続可能である。【選択図】      図１
2008516093.tif 000002
【特許請求の範囲】
【請求項１】
耐衝撃性のヘルメット・シェル（１）を有する一体型ヘルメットであって、このヘルメット・シェルは、ヘルメット着用者の頭頂部から首および耳領域を覆い、上縁および複数の側縁によりバイザー開口部（３）を限定し、前記一体型ヘルメットを形成するためにおよびヘルメット着用者ののどを完全に囲繞するスリップ開口部（１９）を形成するために、前記バイザー開口部（３）の下側を限定するあごセクションによって補足され、前記あごセクションは、前記スリップ開口部（１９）を拡大すべく、水平方向の回転軸を中心として上方に旋回可能に前記ヘルメット・シェル（１）に接続されている一体型ヘルメットにおいて、
前記あごセクションは、前記ヘルメット・シェル（１）の側方領域（４）に接続されているあご部分（８）を有し、このあご部分は、前記スリップ開口部（１９）を拡大すべく、実質的に水平方向の回転軸を有する回転継手を中心として旋回可能であり、閉じた状態では、前記ヘルメット・シェルの前記側方領域（４）から、前記バイザー開口部（３）の半分の幅を越えて延びており、前記あご部分の自由端は、ロック機構（１５）によって、このヘルメットの、当接縁部（１８）によって前記自由端に隣接する部分（５）に、接続可能であることを特徴とする一体型ヘルメット。
【請求項２】
前記あご部分（８）は、前記隣接する部分（５）との接続の領域で、停止縁部（１８）によって前記ヘルメット・シェル（１）に接触していることを特徴とする請求項１に記載の一体型ヘルメット。
【請求項３】
前記あご部分（８）の前記自由端は、前記ヘルメット・シェル（１）に接触していることを特徴とする請求項１または２に記載の一体型ヘルメット。
【請求項４】
前記あご部分（８）の前記自由端は、前記ヘルメット・シェル（１）の、前記あごセクションに延びる延長部（５）に接触していることを特徴とする請求項１または２に記載の一体型ヘルメット。
【請求項５】
前記延長部（５）は、前記ヘルメット・シェル（１）に一体的に接続されていることを特徴とする請求項４に記載の一体型ヘルメット。
【請求項６】
前記延長部（５）は、前記ヘルメット・シェル（１）に対し可動に、このヘルメット・シェルに接続されていることを特徴とする請求項４に記載の一体型ヘルメット。
【請求項７】
前記あご部分（８）は、実質的に水平方向の回転軸（１３）を有する回転継手（７）を介して、前記ヘルメット・シェル（１）に接続されていることを特徴とする請求項１ないし６のいずれか１に記載の一体型ヘルメット。
【請求項８】
前記あご部分（８）は、前記バイザー開口部（３）の約３分の２より大きい幅に亘って延びていることを特徴とする請求項１ないし７のいずれか１に記載の一体型ヘルメット。
【発明の詳細な説明】
【技術分野】
【０００１】
本発明は、耐衝撃性のヘルメット・シェル（１）を有する一体型ヘルメットに関する。このヘルメット・シェルは、ヘルメット着用者の頭頂部から首および耳領域を覆い、上縁および複数の側縁においてバイザー開口部（３）を限定し、一体型ヘルメットを形成するためにおよびヘルメット着用者ののどを完全に囲繞するスリップ開口部（１９）を形成するために、バイザー開口部（３）の下側を限定するあごセクションによって補足される。あごセクションは、スリップ開口部（１９）を拡大すべく、水平方向の回転軸を中心として上方に旋回可能にヘルメット・シェル（１）に接続されている。
【背景技術】
【０００２】
このタイプの複数の一体型ヘルメットは、まず第一に、いわゆる「フリップアップヘルメット」として知られている。これらの一体型ヘルメットは、あご部分を有し、このあご部分は、あごセクション全体に亘って延びており、ヘルメット・シェルの両側で、複数の回転継手を介してヘルメット・シェルに接続されている。これらの回転継手は、夫々、実質的に水平方向の回転軸を有する。それ故に、あご部分は、バイザー開口部を通常は覆うバイザープレートの旋回運動に対応する旋回運動を行なう。このタイプの一体型ヘルメットは、例えば、DE 28 46 636 A1によって公知である。
【０００３】
更に、DE 28 53 260によって、あご部分の中央の部分を一側で垂直方向軸を中心に開閉可能に形成して、あご部分が、あごセクションの中央領域で、開けることができるようにすることが公知である。このあご部分は、２つの側方の延長部を有する。これらの延長部は、組み合わせの状態で、ヘルメット・シェルの、あごセクションに入り込む延長部に接続可能である。ロックは、あご部分の垂直方向に移動可能な複数のボルトによってなされる。これらのボルトは、ヘルメット・シェルの複数の延長部の、ボルトに対応する複数の盲穴へ垂直方向に入り込むことが可能である。しかし、あごセクションのかようなデザインは、必要な安定性を不可能にする。
【０００４】
バイザー開口部を介して上方へ旋回可能に取着されている複数のあご部分を有する、明細書の最初の部分に記載したタイプの複数の通常のフリップアップヘルメットは、安全技術的な観点からは、異議を唱えることはできない。しかしながら、これらのフリップアップヘルメットは比較的大きな重量を有する。この重量は、あご部分をヘルメット・シェルに可動に取着するために必要なロック手段から生じる。
【発明の開示】
【発明が解決しようとする課題】
【０００５】
明細書の最初の部分に記載されたタイプの一体型ヘルメットを、その一体型ヘルメットが、安全性は同じでも、より軽量に形成されることができるように、形成するという課題が、本発明の基礎になっている。
【課題を解決するための手段】
【０００６】
この課題を解決するために、明細書の最初の部分に記載されたタイプの一体型ヘルメットは、本発明により、あごセクションが、ヘルメット・シェルの側方領域に接続されているあご部分を有し、このあご部分は、スリップ開口部を拡大すべく、実質的に水平方向の回転軸を有する回転継手を中心として旋回可能であり、閉じた状態では、ヘルメット・シェルの側方領域から、バイザー開口部の半分の幅を越えて延びており、あご部分の自由端は、ロック機構によって、ヘルメットの、当接縁部によって自由端に隣接する部分に、接続可能であることを特徴とする。
【０００７】
従って、本発明に係わる一体型ヘルメットの場合、可動なあご部分が設けられており、このあご部分は、ヘルメット・シェルの一側からヘルメットの他側まで延びており、詳しくは、あご部分が、バイザー開口部の半分の幅から遥かに突き出ている。この場合、あご部分は、あごセクション全体に亘って延びており、好ましくは停止縁部によって、ヘルメット・シェルに接触していることが可能である。しかし、あご部分の自由端が、ヘルメット・シェルの、あごセクションに延びる延長部に接触していてなる実施の形態は好ましい。この延長部は、あごセクションに僅かなだけ突入しており、例えば、バイザー開口部の４分の１よりも少ない幅に亘って延びている。この延長部は、好ましい実施の形態では、ヘルメット・シェルに一体的に接続されていることが可能である。しかし、延長部自体を、ヘルメット・シェルに対し可動に構成することも可能である。その目的は、あご部分によって、ヘルメット着用者自体が通常にヘルメットを被りかつ脱ぐためのスリップ開口部を拡大するためであるが、しかしながら、事故後に、延長部の動き、特に跳ね上げによって、スリップ開口部の一層広い拡大をなすことできるためである。
【０００８】
いずれにせよ、スリップ開口部の、通常の使用のために適切な拡大は、非対称的なあご部分によってなされる。このあご部分は、実質的に水平方向の回転軸を有する安定的な回転継手の形態の丈夫な接続手段によって、ヘルメット・シェルの側方領域に接続されており、かくて、あごセクションの一方の半分に亘って完全に延びており、あご部分の自由端は、他方の半分に明らかに入り込んでいる。それ故に、あご部分は、好ましい実施の形態で、あごセクションの少なくとも約３分の２を占める。
【発明を実施するための最良の形態】
【０００９】
以下、図面に示した実施の形態を参照して本発明を詳述する。図面に示した一体型ヘルメットは、ヘルメット・シェル１を有する。このヘルメット・シェルは、端面縁部２からヘルメット着用者の頭頂部を経てネック領域までおよび耳領域を越えて延びている。ヘルメット・シェルはバイザー開口部３用の上方のおよび側方の境界縁部を形成する。
【００１０】
図示した実施の形態では、ヘルメット・シェル１は、ヘルメット着用者の複数の耳領域を覆う複数の側方領域４を形成する。これらの側方領域からは、一側では、延長部５が、あごセクションへ延びている。
【００１１】
向かい合っている側方部分４には、安定的な回転継手７用の貫通孔６が形成されている。回転継手によって、あご部分８が上げ下ろし可能にヘルメット・シェル１に取付可能である。あご部分８は、回転継手７の回転継手部分９で終わっており、ヘルメット・シェル１の当該の側には、あごセクション全体および中央縁部１０を越えて、他側のあごセクションおよび延長部５まで延びている。
【００１２】
図１は、ヘルメット・シェル１の側方領域４が、当接縁部１１を形成する突出部を有することを示す。当接縁部は、あご部分８の後方縁部１２との関連で、回転継手７の水平方向の回転軸１３を中心としてのあご部分８の下降運動を制限する。
【００１３】
図１は、更に、ヘルメット・シェル１が、内装部１４を有し、この内装部は、通常は、衝撃を緩和する内側シェルおよび複数のクッション部分によって形成されていることを示す。
【００１４】
従って、あご部分８は、非対称的に形成されており、回転継手７から延長部５まで延びており、図１で略示されたロック装置１５によって、延長部に接続されることができる。
【００１５】
中央縁部１０は、バイザー開口部３の半分の幅にあって、デザイン的な特徴のみを表わす。
【００１６】
図２および３は、延長部５が、図示した実施の形態では、ヘルメット・シェル１と一体的に接続されていることを明示する。あご部分は、バイザー開口部３の３分の２より大きい幅に亘って延びている。図２および３に示されている取付状態では、バイザー開口部３は、通常、ヘルメット・シェル１に回転自在に取着されたバイザープレート１６によって覆われる。バイザープレート１６は、複数の回転継手１７によって、ヘルメット・シェル１に上方に旋回可能に取着されている。
【００１７】
図２および３は、あご部分８の自由端が、当接縁部１８によって延長部５に接触していることを示す。
【００１８】
図２および３に示した閉鎖状態では、ヘルメット・シェル１およびあご部分８は、（まだ閉じられていない状態の）図１に認められるように、四方が閉じられたスリップ開口部１９を形成する。
【００１９】
図４は、あご部分８が跳ね上げ可能であり、その際、跳ね上げ運動中にバイザープレート１６を連行することを示す。この位置では、ヘルメットは、ヘルメット着用者の頭部から快適に脱がされ、あるいは、ヘルメット着用者の頭部へ被らされることが可能である。
【００２０】
図５は、あご部分８が、回転継手７を中心として上方に旋回可能であり、この回転継手には、バイザープレート１６も跳ね上げ可能に取着されていることを明示する。従って、この場合に、あご部分８のための回転軸１３は、バイザープレート１６のための回転軸と一致する。
【００２１】
これに対し、図６が明示するように、回転継手１７が、ヘルメット・シェル１の他側で、バイザープレート１６の回転のためにのみ設けられている。何故ならば、あご部分８が回転継手１７まで延びていないからである。
【００２２】
図６は、延長部５がヘルメット・シェル１と一体的に形成されている故に、本明細書の用語で言うあごセクションが何処で始まるかを示していない。従って、バイザー開口部３の側端が、通常、あごセクションへの移行線として見なされることを参照するよう指摘する。従って、図１の描写では、ヘルメット・シェル１の側方領域４の、ほぼ垂直方向に延びる前縁が、あごセクションへの移行線である。同様のことが、ヘルメットの他側（図６に示す図）での想定される鏡面対称的な線にも当て嵌まる。
【００２３】
あご部分の、図示した非対称的なデザインは、一体型ヘルメットを被りかつ脱ぐためのスリップ開口部１９の十分な拡張を可能にし、この場合、あご部分８を、クラッシュ・ヘルメットの側方領域４に設けられた只１つの回転継手７と連結することができ、あご部分８の自由端とヘルメット・シェル１との間の当接縁部に只１つのロック装置１５を用いることができる。当接縁部は、例えば、延長部５において実現されることが可能である。図示した実施の形態の変形例で、あご部分８を、当接縁部１８が、ヘルメット・シェル１のこの側における側方領域４の前縁として形成されているほどまでに、拡張することも可能である。その結果、あご部分８を補足する延長部５がなくてもよい。この場合でも、回転継手７およびロック装置１５が必要なだけである。
【００２４】
複数の実験は、従来の技術における可動なあご部分の全く対称的なデザインとは異なり、本発明に係わるあご部分８の非対称的なデザインによって、回転継手およびロック装置の省略にも拘わらず、同様な安全値が達成可能であることを明らかにした。
【図面の簡単な説明】
【００２５】
【図１】ヘルメット・シェルおよびあご部分からなる本発明に係わる一体型ヘルメットの斜視図を分解図で示す。
【図２】組み立てられかつ閉じられた状態にある本発明に係わる一体型ヘルメットの斜視図を示す。
【図３】図２に示すヘルメットの側面図を示す。
【図４】あご部分が跳ね上げされている、図２に示すヘルメットの斜視図を示す。
【図５】図４に示すヘルメットの、あご部分用の回転継手を有する側の、その側面図を示す。
【図６】図４に示すヘルメットの他側からの図を示す。
【図１】
2008516093.tif 000003
【図２】
2008516093.tif 000004
【図３】
2008516093.tif 000005
【図４】
2008516093.tif 000006
【図５】
2008516093.tif 000007
【図６】
2008516093.tif 000008
【国際調査報告】
2008516093.tif 000009
2008516093.tif 000010
2008516093.tif 000011
2008516093.tif 000012